(57)【要約】【課題】セルサーチにおける電力の消費量を削減すること。【解決手段】受信品質測定部１１８は、自セルの同期信号の受信品質を測定して測定値Ｑを生成する。受信品質判定部１０６は、測定値Ｑを閾値Ｑｔｈと比較する。指示出力部１０８は、測定値Ｑが閾値Ｑｔｈ以上であることを比較結果が示す時に拡散コードおよび拡散タイミングが既知であるセル（第１のセル）に対するセルサーチの実行をセルサーチ実行部１０４に指示する。一方、指示出力部１０８は、測定値Ｑが閾値Ｑｔｈ未満であることを比較結果が示す時に拡散コードおよび拡散タイミングが未知であるセル（第２のセル）に対するセルサーチの実行をセルサーチ実行部１０４へ指示する。セルサーチ実行部１０４は、指示に基づいて第１または第２のセルに対するセルサーチを実行する。【選択図】      図１
2004159078.tif 000002
【特許請求の範囲】
【請求項１】
同期信号の受信品質を測定して測定値を生成する測定手段と、
前記測定手段によって生成された前記測定値を閾値と比較して比較結果を生成する比較手段と、
前記比較手段によって生成された前記比較結果に基づいてセルサーチを行うセルサーチ実行手段と、を具備し、
前記セルサーチ実行手段は、
前記測定値が前記閾値以上であることを前記比較結果が示している時に拡散コードと拡散タイミングとが既知である第１のセルに対するセルサーチを行い、かつ、前記測定値が前記閾値未満であることを前記比較結果が示している時に拡散コードと拡散タイミングとが未知である第２のセルに対するセルサーチを行うことを特徴とするセルサーチ制御装置。
【請求項２】
第１の所定時間を計時するタイマをさらに具備し、
前記測定手段は、
前記第１の所定時間より短い第２の所定時間毎に前記受信品質を測定して前記測定値を生成し、
前記タイマは、
前記測定値が前記閾値未満であることを前記比較結果が示し続けている時に前記第１の所定時間の計時を行い、
前記セルサーチ実行手段は、
前記タイマが前記第１の所定時間の計時を完了した時に前記第２のセルに対するセルサーチを行うことを特徴とする請求項１記載のセルサーチ制御装置。
【請求項３】
同期信号の受信品質を測定して測定値を生成する測定手段と、
前記測定手段によって生成された前記測定値を閾値と比較して比較結果を生成する比較手段と、
前記比較手段によって生成された前記比較結果に基づいてセルサーチを行うセルサーチ実行手段と、を具備し、
前記セルサーチ実行手段は、
前記測定値が前記閾値以上であることを前記比較結果が示している時に拡散コードと拡散タイミングとが既知である第１のセルに対するセルサーチを行い、かつ、前記測定値が前記閾値未満であることを前記比較結果が示している時に前記第１のセルおよび拡散コードと拡散タイミングとが未知である第２のセルに対するセルサーチを行うことを特徴とするセルサーチ制御装置。
【請求項４】
第１の所定時間を計時するタイマをさらに具備し、
前記測定手段は、
前記第１の所定時間より短い第２の所定時間毎に前記受信品質を測定して測定値を生成し、
前記タイマは、
前記測定値が前記閾値未満であることを前記比較結果が示し続けている時に前記第１の所定時間の計時を行い、
前記セルサーチ実行手段は、
前記タイマが前記第１の所定時間の計時を完了した時に前記第１のセルおよび前記第２のセルに対するセルサーチを行うことを特徴とする請求項３記載のセルサーチ制御装置。
【請求項５】
同期信号の受信品質を測定して測定値を生成する測定ステップと、
前記測定ステップにおいて生成した前記測定値を閾値と比較して比較結果を生成する比較ステップと、
前記比較ステップにおいて生成した前記比較結果に基づいてセルサーチを行うセルサーチ実行ステップと、を具備し、
前記セルサーチ実行ステップは、
前記測定値が前記閾値以上であることを前記比較結果が示している時に拡散コードおよび拡散タイミングが既知である第１のセルに対するセルサーチを行うステップと、
前記測定値が前記閾値未満であることを前記比較結果が示している時に拡散コードおよび拡散タイミングが未知である第２のセルに対するセルサーチを行うステップと、
を具備することを特徴とするセルサーチ制御方法。
【発明の詳細な説明】
【０００１】
【発明の属する技術分野】
本発明は、移動体通信システムおいて用いられるセルサーチ制御装置およびセルサーチ制御方法に関する。
【０００２】
【従来の技術】
現在広く普及しているＣＤＭＡ（Ｃｏｄｅ  Ｄｉｖｉｓｉｏｎ  Ｍｕｌｔｉｐｌｅ  Ａｃｃｅｓｓ）方式の移動体通信システムでは、サービス領域全体がセルと呼ばれる小さな領域に分割されている。各セル内には基地局が配置されており、あるセル内に存在する移動局は、そのセルに配置された基地局と通信を行う。このような移動体通信システムとしては、セル間同期システムとセル間非同期システムがある。これら２つのシステムのうち、セル間非同期システムはＧＰＳ（Ｇｌｏｂａｌ  Ｐｏｓｉｔｉｏｎｉｎｇ  Ｓｙｓｔｅｍ）のような外部の時間同期システムを必要とせず、柔軟にシステムを展開することができるため、セル間非同期システムが広く利用されている。
【０００３】
このセル間非同期システムにおいて、移動局は、接続すべき基地局（すなわち、セル）を探すためにセルサーチを行う。セルサーチには、移動局の電源立ち上げ時に行われる初期のセルサーチや、移動局の通信時および待ち受け時のセルサーチがある。セルサーチを実行するために、基地局は、常に固定電力で同期用チャネル［たとえば、ＣＰＩＣＨ（Ｃｏｍｍｏｎ  Ｐｉｌｏｔ  Ｃｈａｎｎｅｌ）］を介して無線信号を送信している。この無線信号には同期信号が含まれており、この同期信号は基地局間で互いに異なる拡散タイミングで基地局間で互いに異なる拡散コードにより拡散されている。一方、移動局は、たとえば周知の方法である３段階セルサーチによって、この同期信号の拡散タイミングの検出および拡散コードの同定を行い、セルを検出する。そして、初期のセルサーチでは、前述の方法によって検出されたセルが、移動局に捕捉される。
【０００４】
捕捉されたセル（以下、自セル）から送られる同期用チャネルは、基地局から移動局までの伝搬経路の距離に比例して、かつ、伝搬経路上の遮蔽物の影響により減衰するので、同期信号の受信品質［たとえば、ＳＩＲ（Ｓｉｇｎａｌ  ｔｏ  Ｉｎｔｅｒｆｅｒｅｎｃｅ  Ｒａｔｉｏ）、受信電力など］は、特に移動局の移動に伴って変動する。この変動に対処しながら発呼および着呼に備えるために、移動局は適宜セルサーチを行う必要がある。待ち受け状態にある移動局は、バッテリーの消費を低減化するために間欠的に同期用チャネルを受信しながら、セルに対して所定の時間間隔（たとえば、２．５６秒）でセルサーチを行い、最適なセルを選択している。
【０００５】
セルに対するセルサーチは、セルサーチの対象となるセルによって２つのタイプに分けて行われることが知られている（たとえば、特許文献１参照）。
【０００６】
第１のタイプは、同期信号の拡散タイミングおよび拡散コードが既知であるセルを対象とするセルサーチである。この場合、同期信号の拡散タイミングおよび拡散コードは、移動局の電源立ち上げ時にたとえば報知チャネルを介して取得されており、移動局内部に記憶されている。したがって、第１のタイプのセルサーチにおいて、それを再度検出するための工程は必要でない。以下、第１のタイプのセルサーチを「既知タイミングセルサーチ」と呼ぶ。一方、第２のタイプは、同期信号の拡散タイミングおよび拡散コードが未知であるセルを対象とするセルサーチである。第２のタイプのセルサーチにおいては、拡散タイミングおよび拡散コードを検出するための工程が必要である。換言すれば、第２のタイプのセルサーチは、第１のタイプのセルサーチよりも動作処理が多く、かつ、動作時間が長いので、第２のタイプのセルサーチにおける電力消費量は、第１のタイプのセルサーチにおける電力消費量に比べて大きい。以下、第２のタイプのセルサーチを「未知タイミングセルサーチ」と呼ぶ。
【０００７】
従来、上記のようなセルサーチの実行を制御するセルサーチ制御装置は、既知タイミングセルサーチおよび未知タイミングセルサーチを所定の順序で実行するように制御を行う。
【０００８】
【特許文献１】
特開２００１−８６０３５号公報
【０００９】
【発明が解決しようとする課題】
しかしながら、従来のセルサーチ制御装置においては、たとえば伝搬経路に遮蔽物が無く移動局が静止している時のように、受信品質が良好状態で安定している時には、未知タイミングセルサーチの結果および既知タイミングセルサーチの結果が同じになるにもかかわらず、未知タイミングセルサーチにおける電力消費量は既知タイミングセルサーチのそれに比べて大きいため、定期的に未知タイミングセルサーチを実行することによって無駄に電力を消費してしまうという問題があった。
【００１０】
本発明は、かかる点に鑑みてなされたものであり、セルサーチにおける電力の消費量を削減することができるセルサーチ制御装置およびセルサーチ制御方法を提供することを目的とする。
【００１１】
【課題を解決するための手段】
本発明のセルサーチ制御装置は、同期信号の受信品質を測定して測定値を生成する測定手段と、前記測定手段によって生成された前記測定値を閾値と比較して比較結果を生成する比較手段と、前記比較手段によって生成された前記比較結果に基づいてセルサーチを行うセルサーチ実行手段と、を具備し、前記セルサーチ実行手段が、前記測定値が前記閾値以上であることを前記比較結果が示している時に拡散コードと拡散タイミングとが既知である第１のセルに対するセルサーチを行い、かつ、前記測定値が前記閾値未満であることを前記比較結果が示している時に拡散コードと拡散タイミングとが未知である第２のセルに対するセルサーチを行う構成を採る。
【００１２】
この構成によれば、受信品質の測定値が閾値未満である時にのみ拡散コードおよび拡散タイミングが未知である第２のセルに対するセルサーチ（すなわち、未知タイミングセルサーチ）を行うため、未知タイミングセルサーチの実行頻度を低減することができるから、セルサーチにおける電力の消費量を削減することができる。
【００１３】
本発明のセルサーチ制御装置は、上記構成において、第１の所定時間を計時するタイマをさらに具備し、前記測定手段が、前記第１の所定時間より短い第２の所定時間毎に前記受信品質を測定して前記測定値を生成し、前記タイマが、前記測定値が前記閾値未満であることを前記比較結果が示し続けている時に前記第１の所定時間の計時を行い、前記セルサーチ実行手段が、前記タイマが前記第１の所定時間の計時を完了した時に前記第２のセルに対するセルサーチを行う構成を採る。
【００１４】
この構成によれば、上記効果に加えて、セルサーチ実行手段は、タイマが第１の所定時間の計時を完了した時にのみ第２のセルに対するセルサーチ（すなわち、未知タイミングセルサーチ）を行うため、第１の所定時間より短い間の一時的な受信品質低下によって未知タイミングセルサーチが行われることを回避することができるから、セルサーチにおける電力の消費量をより削減することができる。
【００１５】
本発明のセルサーチ制御装置は、同期信号の受信品質を測定して測定値を生成する測定手段と、前記測定手段によって生成された前記測定値を閾値と比較して比較結果を生成する比較手段と、前記比較手段によって生成された前記比較結果に基づいてセルサーチを行うセルサーチ実行手段と、を具備し、前記セルサーチ実行手段が、前記測定値が前記閾値以上であることを前記比較結果が示している時に拡散コードと拡散タイミングとが既知である第１のセルに対するセルサーチを行い、かつ、前記測定値が前記閾値未満であることを前記比較結果が示している時に前記第１のセルおよび拡散コードと拡散タイミングとが未知である第２のセルに対するセルサーチを行う構成を採る。
【００１６】
この構成によれば、受信品質の測定値が閾値未満である時にのみ既知タイミングセルサーチおよび拡散コードおよび拡散タイミングが未知である第２のセルに対するセルサーチ（すなわち、未知タイミングセルサーチ）の両方を行うため、未知タイミングセルサーチの実行頻度を低減することができるから、セルサーチにおける電力の消費量を削減することができる。
【００１７】
本発明のセルサーチ制御装置は、上記構成において、第１の所定時間を計時するタイマをさらに具備し、前記測定手段が、前記第１の所定時間より短い第２の所定時間毎に前記受信品質を測定して測定値を生成し、前記タイマが、前記測定値が前記閾値未満であることを前記比較結果が示し続けている時に前記第１の所定時間の計時を行い、前記セルサーチ実行手段が、前記タイマが前記第１の所定時間の計時を完了した時に前記第１のセルおよび前記第２のセルに対するセルサーチを行う構成を採る。
【００１８】
この構成によれば、上記効果に加えて、セルサーチ実行手段は、タイマが第１の所定時間の計時を完了した時にのみ第１のセルに対するセルサーチ（すなわち、既知タイミングセルサーチ）および第２のセルに対するセルサーチ（すなわち、未知タイミングセルサーチ）を行うため、第１の所定時間より短い間の一時的な受信品質低下によって未知タイミングセルサーチが行われることを回避することができるから、セルサーチにおける電力の消費量をより削減することができる。
【００１９】
本発明のセルサーチ制御方法は、同期信号の受信品質を測定して測定値を生成する測定ステップと、前記測定ステップにおいて生成した前記測定値を閾値と比較して比較結果を生成する比較ステップと、前記比較ステップにおいて生成した前記比較結果に基づいてセルサーチを行うセルサーチ実行ステップと、を具備し、前記セルサーチ実行ステップが、前記測定値が前記閾値以上であることを前記比較結果が示している時に拡散コードおよび拡散タイミングが既知である第１のセルに対するセルサーチを行うステップと、前記測定値が前記閾値未満であることを前記比較結果が示している時に拡散コードおよび拡散タイミングが未知である第２のセルに対するセルサーチを行うステップと、を具備するようにした。
【００２０】
この方法によれば、受信品質の測定値が閾値未満である時にのみ拡散コードおよび拡散タイミングが未知である第２のセルに対するセルサーチ（すなわち、未知タイミングセルサーチ）を行うため、未知タイミングセルサーチの実行頻度を低減することができるから、セルサーチにおける電力の消費量を削減することができる。
【００２１】
【発明の実施の形態】
本発明の骨子は、同期信号の受信品質の測定値を閾値と比較しこの比較の結果に基づいて拡散コードおよび拡散タイミングが未知であるセルに対するセルサーチの実行頻度を制御することである。
【００２２】
以下、本発明の実施の形態について、図面を参照して詳細に説明する。
【００２３】
（実施の形態１）
図１は、本発明の実施の形態１に係るセルサーチ制御装置の構成を示すブロック図である。
【００２４】
セルサーチ制御装置１００は、アンテナ１０２、セルサーチ実行部１０４、受信品質判定部１０６および指示出力部１０８を具備している。セルサーチ実行部１０４は、コード／タイミング制御部１１０、コード／タイミング記憶部１１２、遅延プロファイル計算部１１４、タイミング補正部１１６および受信品質測定部１１８を具備している。
【００２５】
遅延プロファイル計算部１１４の入力端子は、アンテナ１０２およびコード／タイミング制御部１１０に接続されている。タイミング補正部１１６の入力端子は、遅延プロファイル計算部１１４およびコード／タイミング制御部１１０に接続されている。受信品質測定部１１８の入力端子は、アンテナ１０２およびタイミング補正部１１６に接続されている。受信品質判定部１０６の入力端子は、受信品質測定部１１８に接続されている。指示出力部１０８の入力端子は、受信品質判定部１０６に接続されている。コード／タイミング制御部１１０の入力端子は、アンテナ１０２、指示出力部１０８およびコード／タイミング記憶部１１２に接続されている。
【００２６】
セルサーチ制御装置１００の受信品質判定部１０６の構成の一例は、図２に示される。
【００２７】
受信品質判定部１０６は、比較部２０２および閾値保持部２０４を具備している。比較部２０２の入力端子は、受信品質測定部１１８および閾値保持部２０４に接続されている。比較部２０２の出力端子は、指示出力部１０８の入力端子に接続されている。
【００２８】
次いで、上記構成を有するセルサーチ制御装置１００の動作について説明する。
【００２９】
まず、アンテナ１０２は、自セルや周辺セルの基地局から同期用チャネルを介して送信された同期信号を含む無線信号を受信し、受信データを生成する。そして、アンテナ１０２は、受信データをコード／タイミング制御部１１０、遅延プロファイル計算部１１４および受信品質測定部１１８へ出力する。
【００３０】
コード／タイミング制御部１１０は、自セルの同期信号の拡散コードおよび拡散タイミングをコード／タイミング記憶部１１２から取り出して、遅延プロファイル計算部１１４へ出力する。
【００３１】
なお、自セルの同期信号の拡散コードおよび拡散タイミングは、セルサーチ制御装置１００を備えた受信装置（たとえば、移動局）の電源立ち上げ時に行われる初期のセルサーチの際に取得され、コード／タイミング記憶部１１２に記憶されている。
【００３２】
遅延プロファイル計算部１１４は、コード／タイミング制御部１１０から出力された拡散コードおよび拡散タイミングを用いて、アンテナ１０２から出力された受信データと拡散コードとの相関を取り、自セルの同期信号に関する遅延プロファイルを計算する。
【００３３】
タイミング補正部１１６は、計算された遅延プロファイルにおける電力値のピークを検出することによって同期信号の詳細な拡散タイミングを検出して、コード／タイミング制御部１１０から出力された拡散コードおよび拡散タイミングのうち拡散タイミングを補正し、拡散コードおよび補正された拡散タイミングを受信品質測定部１１８へ出力する。
【００３４】
受信品質測定部１１８は、タイミング補正部１１６から出力された拡散コードおよび拡散タイミングを用いて、アンテナ１０２から出力された受信データを復調して自セルの同期信号を生成する。受信品質測定部１１８は、生成された自セルの同期信号の受信品質（たとえば、ＳＩＲ）を測定して測定値Ｑを生成する。そして、受信品質測定部１１８は、生成された測定値Ｑを受信品質判定部１０６へ出力する。
【００３５】
セルサーチ制御装置１００は、上記の動作を所定時間Ｔ１（たとえば、２．５６秒）毎に実行する。
【００３６】
続いて、受信品質判定部１０６は、生成された測定値Ｑの良否を判定する。具体的には、受信品質判定部１０６において、比較部２０２は、測定値Ｑを閾値保持部２０４に予め保持された閾値Ｑｔｈと比較して比較結果を生成し、生成された比較結果を指示出力部１０８へ出力する。
【００３７】
指示出力部１０８は、比較部２０２から得られた比較結果に基づいてセルサーチ実行の指示をコード／タイミング制御部１１０へ出力する。たとえば、測定値Ｑが閾値Ｑｔｈ以上であることを比較結果が示している時、指示出力部１０８は、拡散コードおよび拡散タイミングが既知であるセル（以下「第１のセル」と言う）に対するセルサーチ（すなわち、既知タイミングセルサーチ）を行うように指示を出力する。一方、測定値Ｑが閾値Ｑｔｈ未満であることを比較結果が示している時、指示出力部１０８は、拡散コードおよび拡散タイミングが未知であるセル（以下「第２のセル」と言う）に対するセルサーチ（すなわち、未知タイミングセルサーチ）を実行するように指示を出力する。
【００３８】
コード／タイミング制御部１１０は、指示出力部１０８から得られた指示に基づいて、セルの同期信号の拡散コードおよび拡散タイミングを遅延プロファイル計算部１１４へ出力する。詳細には、指示出力部１０８から既知タイミングセルサーチ実行の指示を受けた時、コード／タイミング制御部１１０は、コード／タイミング記憶部１１２から第１のセルの拡散コードおよび拡散タイミングを取り出す。そして、コード／タイミング制御部１１０は、取り出された拡散コードおよび拡散タイミングを遅延プロファイル計算部１１４へ出力する。
【００３９】
なお、第１のセルの同期信号の拡散コードおよび拡散タイミングは、セルサーチ制御装置を備えた装置（たとえば、移動局）の電源立ち上げ時にたとえば報知チャネルを介して取得され、コード／タイミング記憶部１１２に記憶されている。
【００４０】
一方、指示出力部１０８から未知タイミングセルサーチ実行の指示を受けた時、コード／タイミング制御部１１０は、アンテナ１０２から出力された受信データを用いてたとえば周知の方法である３段階セルサーチを行い、第２のセルの拡散タイミングの検出および拡散コードの同定を行う。そして、コード／タイミング制御部１１０は、同定された拡散コードおよび検出された拡散タイミングを遅延プロファイル計算部１１４へ出力する。
【００４１】
遅延プロファイル計算部１１４は、コード／タイミング制御部１１０から出力された拡散コードおよび拡散タイミングを用いて、アンテナ１０２から出力された受信データと拡散コードとの相関を取り、第１のセルまたは第２のセルの同期信号に関する遅延プロファイルを計算する。
【００４２】
タイミング補正部１１６は、計算された遅延プロファイルにおける電力値のピークを検出することによって第１のセルまたは第２のセルの同期信号の詳細な拡散タイミングを検出し、コード／タイミング制御部１１０から出力された拡散コードおよび拡散タイミングのうち拡散タイミングを補正し、拡散コードおよび補正された拡散タイミングを受信品質測定部１１８へ出力する。
【００４３】
受信品質測定部１１８は、タイミング補正部１１６から得られた拡散コードおよび拡散タイミングを用いて、アンテナ１０２から出力された受信データを復調して第１のセルまたは第２のセルの同期信号を生成する。そして、既知タイミングセルサーチ実行の場合、受信品質測定部１１８は、生成された第１のセルの同期信号の受信品質（たとえば、ＳＩＲ）を測定して測定値Ｑを生成する。一方、未知タイミングセルサーチ実行の場合、受信品質測定部１１８は、生成された第２のセルの同期信号の受信品質（たとえば、ＳＩＲ）を測定して測定値Ｑを生成する。
【００４４】
次いで、本発明の実施の形態１に係るセルサーチ制御装置１００の動作について、図３を用いて説明する。図３は、本発明の実施の形態１に係るセルサーチ制御装置１００の動作を説明するためのフロー図である。
【００４５】
まず、ステップＳＴ３０１において、受信品質測定部１１８は、自セルの同期信号の受信品質を測定して測定値Ｑを生成する。そして、ステップＳＴ３０２において、比較部２０２は、生成された測定値Ｑを閾値Ｑｔｈと比較して比較結果を生成する。
【００４６】
そして、ステップＳＴ３０２において測定値Ｑが閾値Ｑｔｈ以上である場合、ステップＳＴ３０３において、指示出力部１０８は、既知タイミングセルサーチ実行の指示をセルサーチ実行部１０４へ出力する。続いて、ステップＳＴ３０４において、セルサーチ実行部１０４は、既知タイミングセルサーチを行い、セルサーチ実行部１０４内の受信品質測定部１１８が第１のセルの同期信号の受信品質を測定して測定値Ｑを生成する。
【００４７】
一方、ステップＳＴ３０２において測定値Ｑが閾値Ｑｔｈ未満である場合、ステップＳＴ３０５において、指示出力部１０８は、未知タイミングセルサーチ実行の指示をセルサーチ実行部１０４へ出力する。続いて、ステップＳＴ３０６において、セルサーチ実行部１０４は、未知タイミングセルサーチを行い、セルサーチ実行部１０４内の受信品質測定部１１８が第２のセルの同期信号の受信品質を測定して測定値Ｑを生成する。
【００４８】
このように、実施の形態１によれば、セルサーチ制御装置１００は、受信品質の測定値Ｑが閾値Ｑｔｈ未満である時にのみ未知タイミングセルサーチを行うため、未知タイミングセルサーチの実行頻度を低減することができるから、セルサーチにおける電力の消費量を削減することができる。
【００４９】
（実施の形態２）
図４は、本発明の実施の形態２に係るセルサーチ制御装置の構成を示すブロック図である。なお、実施の形態２において、実施の形態１におけるセルサーチ制御装置１００と同一の構成要素には同一の参照符号をそれぞれ付して、詳細な説明を省略する。図４に示すように、本発明の実施の形態２に係るセルサーチ制御装置４００は、本発明の実施の形態１に係るセルサーチ制御装置１００の指示出力部１０８の代わりに指示出力部４０２を具備する。
【００５０】
本発明の実施の形態２に係るセルサーチ制御装置４００の特徴は、生成された測定値Ｑが閾値Ｑｔｈを下回る時に既知タイミングセルサーチおよび未知タイミングセルサーチの両方を実行することである。
【００５１】
指示出力部４０２は、比較部２０２から得られた比較結果に基づいてセルサーチ実行の指示をコード／タイミング制御部１１０へ出力する。たとえば、測定値Ｑが閾値Ｑｔｈ以上であることを比較結果が示している時、指示出力部４０２は、第１のセルに対するセルサーチ（すなわち、既知タイミングセルサーチ）を行うように指示を出力する。一方、測定値Ｑが閾値Ｑｔｈ未満であることを比較結果が示している時、指示出力部４０２は、第１のセルに対するセルサーチ（すなわち、既知タイミングセルサーチ）および第２のセルに対するセルサーチ（すなわち、未知タイミングセルサーチ）の両方を実行するように指示を出力する。
【００５２】
次いで、本発明の実施の形態２に係るセルサーチ制御装置４００の動作について、図５を用いて説明する。図５は、本発明の実施の形態２に係るセルサーチ制御装置４００の動作を説明するためのフロー図である。なお、実施の形態２において、実施の形態１におけるセルサーチ制御装置１００の動作と同一のステップには同一の参照符号をそれぞれ付す。
【００５３】
まず、ステップＳＴ３０１において、受信品質測定部１１８は、自セルの同期信号の受信品質を測定して測定値Ｑを生成する。そして、ステップＳＴ３０２において、比較部２０２は、生成された測定値Ｑを閾値Ｑｔｈと比較して比較結果を生成する。
【００５４】
そして、ステップＳＴ３０２において測定値Ｑが閾値Ｑｔｈ以上である時に、ステップＳＴ３０３において、指示出力部１０８は、既知タイミングセルサーチ実行の指示をセルサーチ実行部１０４へ出力する。続いて、ステップＳＴ３０４において、セルサーチ実行部１０４は、既知タイミングセルサーチを行い、セルサーチ実行部１０４内の受信品質測定部１１８が第１のセルの同期信号の受信品質を測定して測定値Ｑを生成する。
【００５５】
一方、ステップＳＴ３０２において測定値Ｑが閾値Ｑｔｈ未満である時に、ステップＳＴ５０１において、指示出力部１０８は、既知タイミングセルサーチおよび未知タイミングセルサーチの両方の実行の指示をセルサーチ実行部１０４へ出力する。そして、ステップＳＴ５０２において、セルサーチ実行部１０４は、まず、既知タイミングセルサーチを行い、セルサーチ実行部１０４内の受信品質測定部１１８が第１のセルの同期信号の受信品質を測定して測定値Ｑを生成する。続いて、セルサーチ実行部１０４は、未知タイミングセルサーチを行い、セルサーチ実行部１０４内の受信品質測定部１１８が第２のセルの同期信号の受信品質を測定して測定値Ｑを生成する。
【００５６】
なお、ステップ５０２における既知タイミングセルサーチおよび未知タイミングセルサーチの実行順序は、上記の順序に限定されない。たとえば、未知タイミングセルサーチを先に実行することも可能である。さらに、既知タイミングセルサーチを四回実行した後に未知タイミングセルサーチを一回実行するなど、所定の割合で両方のセルサーチを実行することも可能である。
【００５７】
このように、実施の形態２によれば、セルサーチ制御装置４００は、受信品質の測定値Ｑが閾値Ｑｔｈ未満である時に既知タイミングセルサーチおよび未知タイミングセルサーチの両方を行うため、未知タイミングセルサーチの実行頻度を低減し、セルサーチにおける電力の消費量を削減することができる。
【００５８】
（実施の形態３）
図６は、本発明の実施の形態３に係るセルサーチ制御装置の構成を示すブロック図である。なお、実施の形態３において、実施の形態１におけるセルサーチ制御装置１００と同一の構成要素には同一の参照符号をそれぞれ付して、詳細な説明を省略する。
【００５９】
図６に示すように、本発明の実施の形態３に係るセルサーチ制御装置６００は、本発明の実施の形態１に係るセルサーチ制御装置１００の指示出力部１０８の代わりに指示出力部６０２を具備し、さらにタイマ６０４を具備している。
【００６０】
指示出力部６０２の入力端子は、受信品質判定部１０６の出力端子に接続されている。また、指示出力部６０２は、タイマ６０４に接続されている。
【００６１】
本発明の実施の形態３に係るセルサーチ制御装置６００の特徴は、測定値Ｑが閾値Ｑｔｈを継続的に所定時間だけ下回る時にのみ未知タイミングセルサーチを実行することである。
【００６２】
指示出力部６０２は、比較部２０２から得られた比較結果に基づいて指示をタイマ６０４およびコード／タイミング制御部１１０へ出力する。たとえば、測定値Ｑが閾値Ｑｔｈ以上であることを比較結果が示している時、指示出力部６０２は、タイマ６０４をリセットし、さらに第１のセルに対するセルサーチ（すなわち、既知タイミングセルサーチ）の実行の指示をコード／タイミング制御部１１０へ出力する。一方、測定値Ｑが閾値Ｑｔｈ未満であることを比較結果が示している時、指示出力部６０２は、計時の実行の指示をタイマ６０４へ出力する。
【００６３】
タイマ６０４は、指示出力部６０２から得られた計時の実行の指示に従って、受信品質測定の時間間隔である所定時間Ｔ１より長い所定時間Ｔ２（Ｔ２＞Ｔ１）の計時を開始する。
【００６４】
この後に、所定時間Ｔ１毎に得られる測定値Ｑが閾値Ｑｔｈ未満であることを比較結果が示している時には、タイマ６０４は時間Ｔ２の計時を継続する。タイマ６０４が時間Ｔ２の計時を完了した時、タイマ６０４は、時間Ｔ２の計時を完了したことを指示出力部６０２に通知する。
【００６５】
指示出力部６０２は、タイマ６０４から得られた時間Ｔ２の計時完了通知に従って、タイマ６０４をリセットし、さらに第２のセルに対するセルサーチ（すなわち、未知タイミングセルサーチ）の実行の指示をコード／タイミング制御部１１０へ出力する。
【００６６】
次いで、本発明の実施の形態３に係るセルサーチ制御装置６００の動作について、図７を用いて説明する。図７は、本発明の実施の形態３に係るセルサーチ制御装置６００の動作を説明するためのフロー図である。なお、実施の形態３において、実施の形態１におけるセルサーチ制御装置１００の動作と同一のステップには同一の参照符号をそれぞれ付す。
【００６７】
まず、ステップＳＴ３０１において、受信品質測定部１１８は、自セルの同期信号の受信品質を測定して測定値Ｑを生成する。そして、ステップＳＴ３０２において、比較部２０２は、生成された測定値Ｑを閾値Ｑｔｈと比較して比較結果を生成する。
【００６８】
そして、ステップＳＴ３０２において測定値Ｑが閾値Ｑｔｈ以上である時に、ステップＳＴ７０１において、指示出力部６０２はタイマ６０４をリセットする。そして、ステップＳＴ３０３において、指示出力部６０２は既知タイミングセルサーチ実行の指示をセルサーチ実行部１０４へ出力する。続いて、ステップＳＴ３０４において、セルサーチ実行部１０４は、既知タイミングセルサーチを行い、セルサーチ実行部１０４内の受信品質測定部１１８が第１のセルの同期信号の受信品質を測定して測定値Ｑを生成する。
【００６９】
一方、ステップＳＴ３０２において測定値Ｑが閾値Ｑｔｈ未満である時に、ステップＳＴ７０２において、指示出力部６０２は時間Ｔ２の計時の実行をタイマ６０４へ指示し、ステップＳＴ７０３において、タイマ６０４は時間Ｔ２の計時を開始する。そして、ステップＳＴ７０４において、受信品質測定部１１８は、自セルの同期信号の受信品質を測定して測定値Ｑを生成する。そして、ステップＳＴ７０５において、比較部２０２は、生成された測定値Ｑを閾値Ｑｔｈと比較して比較結果を生成する。
【００７０】
そして、ステップＳＴ７０５において測定値Ｑが閾値Ｑｔｈ以上である時に、ステップＳＴ７０１において指示出力部６０２はタイマ６０４をリセットする。そして、ステップＳＴ３０３において、指示出力部６０２は、既知タイミングセルサーチ実行の指示をセルサーチ実行部１０４へ出力する。続いて、ステップＳＴ３０４において、セルサーチ実行部１０４は、既知タイミングセルサーチを行い、セルサーチ実行部１０４内の受信品質測定部１１８が第１のセルの同期信号の受信品質を測定して測定値Ｑを生成する。
【００７１】
一方、ステップＳＴ７０５において測定値Ｑが閾値Ｑｔｈ未満である時に、ステップＳＴ７０６において、指示出力部６０２は、時間Ｔ２の計時が完了したかを確認する。
【００７２】
ステップＳＴ７０６において指示出力部６０２がタイマ６０４から時間Ｔ２の計時完了通知を得られず時間Ｔ２の計時完了を確認できなかった時に、ステップＳＴ７０４に戻って、受信品質測定部１１８は受信品質の測定および測定値Ｑの生成を再度行う。
【００７３】
一方、ステップＳＴ７０６において指示出力部６０２がタイマ６０４から時間Ｔ２の計時完了通知を得て時間Ｔ２の計時完了を確認できた時に、ステップＳＴ７０７において、指示出力部６０２はタイマ６０４をリセットする。そして、ステップＳＴ３０５において、指示出力部６０２は、未知タイミングセルサーチ実行の指示をセルサーチ実行部１０４へ出力する。続いて、ステップＳＴ３０６において、セルサーチ実行部１０４は、未知タイミングセルサーチを行い、セルサーチ実行部１０４内の受信品質測定部１１８が第２のセルの同期信号の受信品質を測定して測定値Ｑを生成する。
【００７４】
なお、ステップＳＴ３０５およびステップＳＴ３０６を実行する代わりに、実施の形態２において説明したステップＳＴ５０１およびステップＳＴ５０２を実行することも可能である。換言すれば、未知タイミングセルサーチだけを行う代わりに未知タイミングセルサーチおよび既知タイミングセルサーチの両方を行うことも可能である。その場合、未知タイミングセルサーチおよび既知タイミングセルサーチの実行順序は、それぞれを一度ずつ行うことも可能であり、既知タイミングセルサーチを四回実行した後に未知タイミングセルサーチを一回実行するなどの、所定の割合で両方のセルサーチを行うことも可能である。
【００７５】
このように、実施の形態３によれば、セルサーチ制御装置６００は、所定の時間Ｔ２において測定値Ｑが閾値Ｑｔｈ未満であることを比較結果が示し続けた時にのみ、未知タイミングセルサーチを行い、または、未知タイミングセルサーチおよび既知タイミングセルサーチの両方を行うため、一時的な受信品質低下によって未知タイミングセルサーチが行われることを回避することができるから、セルサーチにおける電力の消費量をより削減することができる。
【００７６】
（実施の形態４）
図８は、本発明の実施の形態４に係るセルサーチ制御装置の構成を示すブロック図である。なお、実施の形態４において、実施の形態１におけるセルサーチ制御装置１００と同一の構成要素には同一の参照符号をそれぞれ付して、詳細な説明を省略する。図８に示すように、本発明の実施の形態４に係るセルサーチ制御装置８００は、本発明の実施の形態１に係るセルサーチ制御装置１００の指示出力部１０８の代わりに指示出力部８０２を具備する。
【００７７】
次いで、本発明の実施の形態４に係るセルサーチ制御装置８００の動作について、図９を用いて説明する。図９は、本発明の実施の形態４に係るセルサーチ制御装置８００の動作を説明するためのフロー図である。なお、実施の形態４において、実施の形態１におけるセルサーチ制御装置１００および実施の形態２におけるセルサーチ制御装置４００と同一のステップには同一の参照符号をそれぞれ付す。
【００７８】
まず、ステップＳＴ３０１において、受信品質測定部１１８は、自セルの同期信号の受信品質を測定して測定値Ｑを生成する。そして、ステップＳＴ３０２において、比較部２０２は、生成された測定値Ｑを閾値Ｑｔｈと比較して比較結果を生成する。
【００７９】
そして、ステップＳＴ３０２において測定値Ｑが閾値Ｑｔｈ以上である時に、ステップＳＴ３０３において、指示出力部１０８は、既知タイミングセルサーチ実行の指示をセルサーチ実行部１０４へ出力する。続いて、ステップＳＴ３０４において、セルサーチ実行部１０４は、既知タイミングセルサーチを行い、セルサーチ実行部１０４内の受信品質測定部１１８が第１のセルの同期信号の受信品質を測定して測定値Ｑを生成する。
【００８０】
一方、ステップＳＴ３０２において測定値Ｑが閾値Ｑｔｈ未満である時に、ステップＳＴ３０５において、指示出力部８０２は、未知タイミングセルサーチの実行の指示をセルサーチ実行部１０４へ出力する。そして、ステップＳＴ３０６において、セルサーチ実行部１０４は、未知タイミングセルサーチを行い、セルサーチ実行部１０４内の受信品質測定部１１８が第２のセルの同期信号の受信品質を測定して測定値Ｑを生成する。
【００８１】
そして、ステップＳＴ９０１において、比較部２０２は、生成された測定値Ｑを閾値Ｑｔｈと比較して比較結果を生成する。
【００８２】
そして、ステップＳＴ９０１において測定値Ｑが閾値Ｑｔｈ未満である時に、ステップＳＴ５０１において、指示出力部８０２は、既知タイミングセルサーチおよび未知タイミングセルサーチの両方の実行の指示をセルサーチ実行部１０４へ出力する。そして、ステップＳＴ５０２において、セルサーチ実行部１０４は、まず、既知タイミングセルサーチを行い、セルサーチ実行部１０４内の受信品質測定部１１８が第１のセルの同期信号の受信品質を測定して測定値Ｑを生成する。続いて、セルサーチ実行部１０４は、未知タイミングセルサーチを行い、セルサーチ実行部１０４内の受信品質測定部１１８が第２のセルの同期信号の受信品質を測定して測定値Ｑを生成する。
【００８３】
一方、ステップＳＴ９０１において測定値Ｑが閾値Ｑｔｈ以上である時、ステップＳＴ３０３において指示出力部８０２が既知タイミングセルサーチ実行の指示をセルサーチ実行部１０４へ出力し、セルサーチ実行部１０４が既知タイミングセルサーチを行う（ステップＳＴ３０４）。
【００８４】
なお、ステップＳＴ９０１において測定値Ｑが閾値Ｑｔｈ以上である時、ステップＳＴ３０３およびステップＳＴ３０４を実行する代わりに何も実行しなくても良い。
【００８５】
このように、実施の形態４によれば、セルサーチ制御装置８００は、受信品質の測定値Ｑが閾値Ｑｔｈ未満である時に既知タイミングセルサーチおよび未知タイミングセルサーチの両方を行うため、未知タイミングセルサーチの実行頻度を低減し、セルサーチにおける電力の消費量を削減することができる。
【００８６】
【発明の効果】
以上説明したように、本発明によれば、同期信号の受信品質の測定値を閾値と比較しこの比較の結果に基づいて拡散コードおよび拡散タイミングが未知であるセルに対するセルサーチの実行頻度を低減することができるから、セルサーチにおける電力の消費量を削減することができる。
【図面の簡単な説明】
【図１】本発明の実施の形態１に係るセルサーチ制御装置の構成を示すブロック図
【図２】本発明の実施の形態１に係るセルサーチ制御装置における受信品質判定部の構成の一例を示すブロック図
【図３】本発明の実施の形態１に係るセルサーチ制御装置の動作を説明するためのフロー図
【図４】本発明の実施の形態２に係るセルサーチ制御装置の構成を示すブロック図
【図５】本発明の実施の形態２に係るセルサーチ制御装置の動作を説明するためのフロー図
【図６】本発明の実施の形態３に係るセルサーチ制御装置の構成を示すブロック図
【図７】本発明の実施の形態３に係るセルサーチ制御装置の動作を説明するためのフロー図
【図８】本発明の実施の形態４に係るセルサーチ制御装置の構成を示すブロック図
【図９】本発明の実施の形態４に係るセルサーチ制御装置の動作を説明するためのフロー図
【符号の説明】
１００、４００、６００、８００  セルサーチ制御装置
１０２  アンテナ
１０４  セルサーチ実行部
１０６  受信品質判定部
１０８、４０２、６０２、８０２  指示出力部
１１０  コード／タイミング制御部
１１２  コード／タイミング記憶部
１１４  遅延プロファイル計算部
１１６  タイミング補正部
１１８  受信品質測定部
２０２  比較部
２０４  閾値保持部
６０４  タイマ
【図１】
2004159078.tif 000003
【図２】
2004159078.tif 000004
【図３】
2004159078.tif 000005
【図４】
2004159078.tif 000006
【図５】
2004159078.tif 000007
【図６】
2004159078.tif 000008
【図７】
2004159078.tif 000009
【図８】
2004159078.tif 000010
【図９】
2004159078.tif 000011